(57)【特許請求の範囲】
【請求項１】
取付板と支持板からなる基枠体の内側に連結杆が摺動可能に配設され、該支持板の上部と下部に鉤部材が該連結杆に連結されて傾動可能に枢支され、該基枠体の中間部にシリンダ錠が取り付けられ、該シリンダ錠の錠軸の先端に前記連結杆と係合するカム板が固定され、前記基枠体がゲーム機の前扉に縦に取付けられ、該ゲーム機の本体枠側に取付けられた受け金具の係止部に前記鉤部材が係止されて前扉を施錠するゲーム機の施錠装置において、
前記本体枠側に係止片が設けられ、該前扉の閉鎖時に該係止片が係合する係止凹部が前記連結杆に設けられ、該係止凹部の近傍の該連結杆にロック部材が揺動可能に軸支され、該ロック部材には、該係止片が係合する係合凹部が設けられると共に、傾斜面を持った傾斜係合部が前記カム板と係合可能に設けられ、該前扉の閉鎖時に該係止片が該係止凹部と該係合凹部に係合して連結杆の移動をロックすると共に、カム板が解錠側に回動したとき、該ロック部材が該係止片と係止凹部及び係合凹部との係合を外してロックを解除する構造としたことを特徴とするゲーム機の施錠装置。
【請求項２】
前記ロック部材がコイルばねによって前記係止片と該係合凹部とを係合させる方向に付勢されると共に、前記連結杆がコイルばねにより前記鉤部材の係止方向に付勢され、前記前扉を閉じて施錠する際、該係止片に押されて係合を外す側に該ロック部材が一旦回動した後、該連結杆が該鉤部材の係止側へ移動して該鉤部材が係止片に係合したとき、該係止片が連結杆の係止凹部とロック部材の係合凹部に係合して、施錠状態になることを特徴とする請求項１記載のゲーム機の施錠装置。
【請求項３】
前記ロック部材には、施錠状態において前記係止片と該ロック部材の係合凹部との係合を外す方向に回動・操作するための把持部が設けられたことを特徴とする請求項２記載のゲーム機の施錠装置。
【請求項４】
上部と下部に鉤部を一体に形成した施錠杆が縦長の基枠体内に摺動可能に配設され、該基枠体の中間部にシリンダ錠が取り付けられ、該シリンダ錠の錠軸の先端に該施錠杆と係合するカム板が固定され、前記基枠体がゲーム機の前扉に縦に取付けられ、該ゲーム機の本体枠側に取付けられた受け金具の係止部に前記鉤部が係止されて前扉を施錠するゲーム機の施錠装置において、
前記本体枠側に係止片が設けられ、該前扉の閉鎖時に該係止片が係合する係止凹部が前記施錠杆に設けられ、該係止凹部の近傍の該施錠杆にロック部材が揺動可能に軸支され、該ロック部材には、該係止片が係合する係合凹部が設けられると共に、傾斜面を持った傾斜係合部が前記カム板と係合可能に設けられ、該前扉の閉鎖時に該係止片が該係止凹部と該係合凹部に係合して連結杆の移動をロックすると共に、カム板が解錠側に回動したとき、該ロック部材が該係止片と係止凹部及び係合凹部との係合を外してロックを解除する構造としたことを特徴とするゲーム機の施錠装置。
【発明の詳細な説明】
【０００１】
【発明の属する技術分野】
本発明は、スロットマシン、パチンコ機等のゲーム機の前扉の内側に取り付けられ、前扉を本体枠（キャビネット等）に対し施錠するゲーム機の施錠装置に関する。
【０００２】
【従来の技術】
ゲーム機の前扉を本体枠に対し施錠する施錠装置として、断面Ｌ字状の取付板と支持板からなる基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている（例えば、実公昭５７−８８６７号公報等参照）。
【０００３】
【発明が解決しようとする課題】
この種の施錠装置は、シリンダ錠の錠軸をキーで回すことにより、カム板を回動させ、カム板に係合する連結杆を上下に揩動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、ゲーム機の一部に隙間があって、その隙間から針金等を内部に差し込み、針金等で鉤部材に直接力を加えて傾動させると、前扉がキーを用いずに不正に解錠されてしまう問題があった。
【０００４】
そこで、本発明者らは、施錠完了時に連結杆の動きをロックするロック部材を連結杆に枢支して設け、解錠時にはロック部材のロックを解除する機構を設けることにより、上記のような不正解錠を防止する施錠装置を提案した（特許第３１２７２９０号公報参照）。しかしながら、この従来の連結杆をロックする施錠装置は、施錠動作に入る際にロックを解除するロック解除部材を、基枠体内の支持板に回動可能に軸支する必要があり、構造が複雑となり組付工数や部品点数が多くなるという問題があった。
【０００５】
本発明は、上記の課題を解決するためになされたもので、簡単な構造で、鉤部材を針金等で不正に動かして解錠する不正解錠を防止することができるゲーム機の施錠装置を提供することを目的とする。
【０００６】
【課題を解決するための手段】
上記の目的を達成するために、本発明の施錠装置は、取付板と支持板からなる基枠体の内側に連結杆が摺動可能に配設され、支持板の上部と下部に鉤部材が該連結杆に連結されて傾動可能に枢支され、基枠体の中間部にシリンダ錠が取り付けられ、シリンダ錠の錠軸の先端に連結杆と係合するカム板が固定され、基枠体がゲーム機の前扉に縦に取付けられ、ゲーム機の本体枠側に取付けられた受け金具の係止部に鉤部材が係止されて前扉を施錠するゲーム機の施錠装置において、本体枠側に係止片が設けられ、前扉の閉鎖時に係止片が係合する係止凹部が連結杆に設けられ、係止凹部の近傍の連結杆にロック部材が揺動可能に軸支され、ロック部材には、係止片が係合する係合凹部が設けられると共に、傾斜面を持った傾斜係合部がカム板と係合可能に設けられ、前扉の閉鎖時に係止片が係止凹部と係合凹部に係合して連結杆の移動をロックすると共に、カム板が解錠側に回動したとき、ロック部材が係止片と係止凹部及び係合凹部との係合を外してロックを解除する構造としたことを特徴とする。
【０００７】
ここで、ロック部材は、コイルばねによって係止片と係合凹部とを係合させる方向に付勢されると共に、連結杆は、コイルばねにより鉤部材の係止方向に付勢され、前扉を閉じて施錠する際、係止片に押されて係合を外す側にロック部材が一旦回動した後、連結杆が鉤部材の係止側へ移動して鉤部材が係止片に係合したとき、係止片が連結杆の係止凹部とロック部材の係合凹部に係合して、施錠状態になるように構成することができる。また、ロック部材には、施錠状態において係止片とロック部材の係合凹部との係合を外す方向に回動・操作するための把持部を設けることができる。また、本体枠側に設ける係止片は、受け金具と一体に形成することができるが、別個に形成して、本体枠の側壁内側に取り付けることもできる。
【０００８】
【作用】
このような構成の施錠装置では、ゲーム機の前扉を本体枠に対し閉じ、鉤部材を受け金具の係止部に係止させて施錠を完了すると、ロック部材が連結杆をロックすることにより鉤部材がロックされる。このため、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止することができる。
【０００９】
また、解錠時にはロック部材がカム板の係合部により係合を外す方向に揺動し、係止片の係止凹部と係合凹部との係合を解除してロックを解除するから、これによって、連結杆をカム板の回動により摺動させて、鉤部材を傾動させ、解錠することができる。
【００１０】
また、ロック部材は、連結杆に枢軸を介して揺動可能に軸支され、連結杆と共に移動する。このため、前扉を閉めて施錠する際、本体枠側の係止片がロック部材を押して揺動させながら係止凹部に進入し、その後、鉤部材の傾動により、連結杆がロック部材と共に摺動して、係止片がロック部材の係合凹部と係合し、施錠状態が完了する。
【００１１】
このように、本施錠装置は、ロック解除部材を使用せずにロック部材だけで、連結杆のロックを行い、解錠時にはロックを解除すると共に、前扉を閉鎖する施錠時にはロック部材のロックを自動的に行うことができ、従来のものに比べ、構造が簡単となり、組付工数や部品点数を削減することができる。
【００１２】
【発明の実施の形態】
以下、本発明の実施例を図面に基づいて説明する。図１はスロットマシン用の施錠装置の右側面図を、図２はその背面図を、図３はその左側面図を、図４はその分解側面図を各々示している。１は縦長の基枠体で、取付板２と支持板３を断面Ｌ字状又は部分的に断面コ字状に曲折して一体成形してなり、基枠体１の支持板３の上部と下部に幅広の枢支部が形成される。取付板２には複数の取付孔が穿設され、更に、取付板２の正面側中央に取付片２ａが正面に向けて突出して設けられる。
【００１３】
支持板３の上下の枢支部には、鉤部材４、５が下方に傾動可能に枢支ピン４ａ，５ａで枢支される。鉤部材４、５は三角形頭部を有しその中間部に係合凹部を有し、後述の受け金具２３の係止部２４、２５に係止可能である。基枠体１の内側には、図１に示すように、支持板３に沿って長尺の連結杆６が上下に摺動可能に配設され、連結杆６の上端は、鉤部材４の中間部に連結ピン４ｂで連結され、その下端は同様に下部の鉤部材５の中間部に連結ピン５ｂで連結される。
【００１４】
図４に示すように、連結杆６の略中間部に、後述のカム板８の係合部８ａが係合する係合孔６ａが形成されると共に、係止凹部６ｂが後述の受け金具２３の中間部の係止片２６を係合可能に背面側に向けて設けられる。さらに、連結杆６は、その中間部に設けた長孔６ｃにガイドピン１６を通しそれを支持板３に固定することにより、支持板３に沿って摺動可能に支持される。この鉤部材４、５及びそれを動かす連結杆６は、ゲーム機の前扉用の施錠機構を構成する。
【００１５】
この連結杆６の内側（支持板３との間）にロック部材１０が揺動可能に配設される。このロック部材１０は、施錠時に連結杆６の移動をロックするもので、枢軸１１によって連結杆６に対し揺動可能に取り付けられている。図４に示すように、このロック部材１０には、連結杆６の係止凹部６ｂに対応した位置に係合凹部１０ａが設けられ、また、傾斜面をもつ異形孔状の傾斜係合部１０ｂがカム板８の係合部８ａと係合可能に形成される。更に、ロック部材１０には、ガイドピン１６を通すための長孔１０ｃが形成される。
【００１６】
連結杆６と支持板３の間に、枢軸１１によって揺動可能に配設されるロック部材１０には、連結杆６との間にコイルばね１２がかけられ、ロック部材１０は、常時コイルばね１２の付勢力により、図１のように、その係合凹部１０ａを連結杆６の係止凹部６ｂと同じ位置に位置させる。また、シリンダ錠７の解錠操作によってカム板８が解錠方向に回動した際、カム板８の係合部８ａが傾斜係合部１０ｂ内に進入してその傾斜面に係合可能である。
【００１７】
取付板２の略中央部分に、補助取付板９が左側に突き出すように固定され、その補助取付板９にシリンダ錠７を挿入するための孔が形成され、更に、リセットスイッチ（近接スイッチ又は光電スイッチ等）１３を取り付けるための取付部９ａが背面側に突き出すように立設される。シリンダ錠７はその元部にフランジ部７ａを有し、フランジ部７ａを補助取付板９の背面側にねじで固定して取り付けられる。シリンダ錠７の錠軸にはスイッチ作動部８ｂと係合部８ａを持つカム板８が固定され、カム板８を図２時計方向に回動したとき、スイッチ作動部８ｂがリセットスイッチ１３に作用して、それをオンオフ動作させる。
【００１８】
図２の反時計方向にカム板８を回動させると、カム板の係合部８ａは連結杆６の係合孔６ａに係合し、連結杆６を下方に摺動させ、鉤部材４、５を下側に傾動させる。連結杆６と取付板２との間にコイルばね１４が掛けられ、連結杆６はコイルばね１４により上側に付勢される。連結杆６は、その中間部に設けた長孔６ｃにガイドピン１６を通し、支持板３に沿って上下に摺動可能に支持される。ガイドピン１６はロック部材１０の長孔１０ｃにも挿通されて、その先端が支持板３に固定される。これにより、ガイドピン１６は、連結杆６と共にロック部材１０の上下動をガイドすると共に、ロック部材１０の揺動を所定の範囲でガイドする。また、連結杆６は、支持板３の一部を切り起こして形成した切起部３ａによっても摺動可能にガイドされる。
【００１９】
支持板３の下部に前扉支持用の支持ローラ１８が設けられる。この支持ローラ１８は、閉鎖時に本体枠側の滑り板２７上に乗り上げ、大重量の前扉の位置が下がった際にも施錠を確実に行えるようにする。
【００２０】
上記構成の施錠装置は、図７に示すように、スロットマシンの前扉２１の内側に、シリンダ錠７の先端を前面に露出させ、鉤部材４、５を本体枠２０側に向けた状態で、取付板２を用いて縦に取付けられる。一方、本体枠（キャビネット）２０の内側には、受け金具２３が縦に固定される。この受け金具２３は、図５、図６に示すように、施錠装置の鉤部材４、５に対応した箇所に、その鉤部材４、５が係止される板状の係止部２４、２５が設けられ、更に、その中間部に板状の係止片２６が形成される。この係止片２６は、前扉２１の閉鎖時に、上記連結杆６の係止凹部６ｂとロック部材１０の係合凹部１０ａ内に進入するように、その係止凹部６ｂと係合凹部１０ａに位置に対応して設けられる。また、支持ローラ１８が閉鎖時に乗り上げて支持される滑り板２７が係止部２５の下に設けられる。なお、図５、図６の受け金具金具２３は、一体に形成されているが、係止部２４，２５、係止片２６、及び滑り板２７を各々別個に形成し、本体枠２０に取り付けることもできる。
【００２１】
この施錠装置は、スロットマシンの前扉２１を本体枠２０に対し閉じると、図７に示すように、施錠装置の上下の鉤部材４、５が本体枠２０側の係止部２４、２５に当って下方に傾動し、このとき、図１１に示すように、受け金具２３の係止片２６がロック部材１０の係合凹部１０ａの上縁部に当たる。ロック部材１０が揺動可能であるため、前扉２１を閉じる力によって係止片２６に押されて内側に揺動し、係止片２６が連結杆６の係止凹部６ｂ内に進入した時、鉤部材４、５が係止部２４、２５に嵌り係合する。そして、コイルばね１４の付勢力により連結杆６が上方に戻ることにより、ロック部材１０の係合凹部１０ａが上に移動し、これにより、図９に示すように、受け金具２３の係止片２６がロック部材１０の係合凹部１０ａと連結杆６の係止凹部６ｂ内に嵌入し、連結杆６がロックされる。
【００２２】
このように、前扉２１を閉じる際に、ロック部材１０が揺動して、受け金具２３側の係止片２６の係止凹部６ｂへの係合が許容されるから、係止片２６が連結杆６の係止凹部６ｂに容易に嵌り込むことができ、また、鉤部材４、５が係止部２４、２５の係止される際、連結杆６がロック部材１０と共に上方に移動するから、係止片２６は係止凹部６ｂと共に、ロック部材１０の係合凹部１０ａに確実に係合し、連結杆６をロック状態とすることができる。
【００２３】
従って、スロットマシンの前扉２１と本体枠２０の間の隙間から針金等を差し込み、鉤部材４、５や連結杆６を不正に傾動或は摺動させようとしても、連結杆６がロックされて動かず、不正解錠を防止することができる。
【００２４】
前扉をキーにより解錠する場合は、キーでシリンダ錠７の錠軸を回し、カム板８を図２反時計方向に回転させると、カム板８の係合部８ａが、連結杆６の長孔６ｃに進入すると共に、ロック部材１０の傾斜係合部（異形孔）１０ｂに進入して、図９のように、その傾斜面に当たって、ロック部材１０の上部を前方（受け金具と反対方向）に揺動させながら、連結杆６を下方に摺動させる。このとき、ロック部材１０は、図１０に示すように、その係合凹部１０ａを係止片２６から外すように揺動し、この係止片２６と係合凹部１０ａとの係合が外れる。これによって、連結杆６の下方への移動が可能となり、この際、連結杆６が下方へ移動することにより、上下の鉤部材４、５と係止部２４、２５との係合が外れ、前扉２１が解錠される。解錠状態となった前扉２１は、開放側への図示しないばね付勢手段により開放される。
【００２５】
このように、キーを右に回して、カム板８の係合部８ａを同方向に回動させれば、ロック部材１０を図１０のように揺動させてロックを外しながら、連結杆６を解錠方向に移動させ、鉤部材４、５を傾動させて、解錠することができる。キーを左に回せば、カム板８が同方向に回動し、そのスイッチ作動部８ｂがリセットスイッチ１３に作用して、スロットマシンをリセットさせる。
【００２６】
図１２〜図１９はパチンコ機の本体枠に対し前面枠（前扉）を施錠する施錠装置の例を示している。３１は縦長の基枠体で、取付板３２と支持板３３を断面Ｌ字状に曲折して一体成形してなり、基枠体３１の支持板３３の上部と下部に幅広の枢支部が形成される。取付板３２には複数の取付孔が穿設されると共に、取付板３２の上部寄りにシリンダ錠３７を挿入するための異形孔が形成される。
【００２７】
支持板３３の上下の枢支部には、鉤部材３４、３５が下側に傾動可能に、枢支ピン３４ａ，３５ａによって枢支される。鉤部材３４、３５は三角形頭部とその中間部の係合凹部を設けて形成され、後述の分割形成された受け金具の係止部５４、５５に係止可能である。基枠体３１の内側には、支持板３３に沿って長尺の連結杆３６が上下に摺動可能に配設され、連結杆３６の上端は、鉤部材３４の末端部に連結ピン３４ｂにより連結され、その下端は同様に下部の鉤部材３５の末端部に連結ピン３５ｂにより連結される。
【００２８】
図１５の分解図に示すように、連結杆３６の略中間部に、後述のカム板３８の係合部３８ａが係合する係合孔３６ａが形成されると共に、係止凹部３６ｂが後述の本体枠側の係止片５６を係合可能に背面側に向けて設けられる。さらに、連結杆３６は、その中間部に設けた長孔３６ｃにガイドピン４６を通しそれを支持板３３に固定することにより、支持板３３に沿って摺動可能に支持される。この鉤部材３４、３５及びそれを動かす連結杆３６は、パチンコ機の前面枠用の施錠機構を構成する。
【００２９】
この連結杆３６の内側（支持板３３との間）にロック部材４０が揺動可能に配設される。このロック部材４０は、施錠時に連結杆３６の移動をロックするもので、枢軸（軸支）４１によって連結杆３６に対し揺動可能に取り付けられている。図１５に示すように、このロック部材４０には、連結杆３６の係止凹部３６ｂに対応した位置に係合凹部４０ａが設けられ、また、傾斜面をもつ異形凹部状の傾斜係合部４０ｂがカム板３８の係合部３８ａと係合可能に形成される。ロック部材４０とガラス枠作動杆３９との間にコイルばね４３がかけられ、コイルばね４３はロック部材４０を、その係合凹部４０ａが後述の係止片５６と係合する側に付勢している。更に、ロック部材４０には、ロック部材４０のロックを解除する際に操作するための把持部４０ｃが支持板３３から外側に突出するように設けられる。
【００３０】
支持板３３の上部寄りに切起し部３３ａが支持板の一部を外側に切り起こすように設けられ、この切起し部３３ａと支持板３３との間に板厚１枚分の空間が形成され、その空間にガラス枠作動杆３９が上下摺動可能に配設される。このガラス枠作動杆３９には、図示しないパチンコ機の金枠に設けられたガラス枠施錠具の解錠用レバーに係合する係合凸部３９ａが設けられる。さらに、ガラス枠作動杆３９には、カム板３８の係合部３８ｂに係合する係合孔３９ｂが設けられ、ガイドピン４６が挿通するガイド孔３９ｃが設けられる。
【００３１】
取付板３２の上部寄り部位に幅広部が形成され、その幅広部にシリンダ錠３７を挿入するための孔が形成される。シリンダ錠３７は、その孔に内側から挿入し、シリンダ錠３７の元部のフランジ部３７ａを取付板３２に固定して、取り付けられる。シリンダ錠３７の錠軸には係合部３８ｂと係合部３８ａを持つカム板３８が固定され、カム板３８を図１３の時計方向に回動したとき、ガラス枠作動杆３９に作用して、それを下方に摺動させる。
【００３２】
一方、図１３の反時計方向にカム板３８を回動させると、カム板の係合部３８ａが連結杆３６の係合孔３６ａに係合し、連結杆３６を上方に摺動させ、鉤部材３４、３５を下側に傾動させる。連結杆３６と取付板３２との間にコイルばね４２が掛けられ、連結杆３６はコイルばね４２により下側に付勢される。連結杆３６は、その中間部に設けた長孔３６ｃにガイドピン４６を通し、支持板３３に沿って上下に摺動可能に支持される。ガイドピン４６はガラス枠作動杆３９のガイド孔３９ｃにも挿通されて、その先端は支持板３３に固定される。これにより、ガイドピン４６は、連結杆３６と共にガラス枠作動杆３９の上下動をガイドする。また、連結杆３６は、取付板３２の一部を切り起こして形成した切起部によっても摺動可能にガイドされる。
【００３３】
上記構成の施錠装置は、図１６〜図１９に示すように、パチンコ機の前扉（前面枠）５１の内側に、シリンダ錠３７の先端を前面に露出させ、鉤部材３４、３５をパチンコ機の本体枠５０側に向けた状態で、取付板３２を用いて縦に取付けられる。一方、本体枠５０の内側には、受け金具の係止部５４，５５が鉤部材３４，３５の対応位置に各々固定される。さらに、係止片５６が本体枠５０の内側の所定位置に取り付けられる。この係止片５６は、前扉５１の閉鎖時に、上記連結杆３６の係止凹部３６ｂとロック部材４０の係合凹部４０ａ内に進入するように、その係止凹部３６ｂと係合凹部４０ａに位置に対応して設けられる。
【００３４】
この施錠装置は、パチンコ機の前扉５１を本体枠５０に対し閉じると、図１６に示すように、施錠装置の上下の鉤部材３４、３５が本体枠５０側の係止部５４、５５に当って下方に傾動し、このとき、係止片５６がロック部材４０の係合凹部４０ａの上縁部に当たる。ロック部材４０が揺動可能であるため、前扉５１を閉じる力によって係止片５６に押されて内側に揺動し、係止片５６が連結杆３６の係止凹部３６ｂ内に進入した時、図１７のように、鉤部材３４、３５が係止部５４、５５に嵌り係合する。そして、コイルばね４３の付勢力により連結杆３６が上方に戻ることにより、ロック部材４０の係合凹部４０ａが上に移動し、これにより、図１８に示すように、係止片５６がロック部材４０の係合凹部４０ａと連結杆３６の係止凹部３６ｂ内に嵌入し、連結杆３６がロックされる。
【００３５】
このように、前扉５１を閉じる際に、ロック部材４０が揺動して、本体枠側の係止片５６の係止凹部３６ｂへの係合が許容されるから、係止片５６が連結杆３６の係止凹部３６ｂに容易に嵌り込むことができ、また、鉤部材３４、３５が係止部５４、５５の係止される際、連結杆３６がロック部材４０と共に上方に移動するから、係止片５６は係止凹部３６ｂと共に、ロック部材４０の係合凹部４０ａに確実に係合し、連結杆３６をロック状態とすることができる。
【００３６】
従って、パチンコ機の前扉５１と本体枠５０の間の隙間から針金等を差し込み、鉤部材３４、３５や連結杆３６を不正に傾動或は摺動させようとしても、連結杆３６がロックされて動かず、不正解錠を防止することができる。
【００３７】
前扉をキーにより解錠する場合は、キーでシリンダ錠３７の錠軸を回し、カム板３８を図１３反時計方向に回転させると、カム板３８の係合部３８ａが、連結杆３６の長孔３６ａに進入すると共に、ロック部材４０の傾斜係合部４０ｂに当たって、ロック部材４０の上部を前方（受け金具と反対方向）に揺動させながら、連結杆３６を上方に摺動させる。このとき、ロック部材４０は、図１９に示すように、その係合凹部４０ａを係止片５６から外すように揺動し、この係止片５６と係合凹部４０ａとの係合が外れる。これによって、連結杆３６の上方への移動が可能となり、この際、連結杆３６が上方へ移動することにより、上下の鉤部材３４、３５が下方に傾動して、係止部５４、５５との係合が外れ、前扉５１が解錠される。解錠状態となった前扉５１は、開放側への図示しないばね付勢手段により開放される。
【００３８】
このように、キーを右に回して、カム板３８の係合部３８ａを同方向に回動させれば、ロック部材４０を図１９のように揺動させてロックを外しながら、連結杆３６を解錠方向に移動させ、鉤部材３４、３５を傾動させて、解錠することができる。一方、キーを左に回せば、カム板３８が同方向に回動し、その係合部３８ｂがガラス枠作動杆３９の係合孔３９ｂに係合してこれを下方に摺動させ、係合凸部３９ａを介して図示しないガラス枠施錠具を解錠動作させ、ガラス枠を解錠させる。
【００３９】
ところで、パチンコ機のガラス枠を開いて点検作業などを行う際、パチンコ機の内側からキーを用いずに前扉を解錠したい場合があるが、このような場合には、パチンコ機の内側からロック部材４０の把持部４０ｃを持って内側に引き、ロック部材４０を図１９の位置に回動させてロックを解除した状態で、鉤部材３４又は３５或いは連結杆３６を下側に引けば、係止部５４，５５との係合が外れ、解錠することができる。
【００４０】
なお、上記実施例では、支持板の上部と下部に鉤部材を傾動可能に枢支し、連結杆によって両鉤部材を連結したが、上部と下部に鉤部を一体に形成してなる施錠杆を基枠体内に摺動可能に配設した構造の施錠装置にも適用することができ、この場合には、ロック部材をその施錠杆に枢軸を介して軸支し、施錠杆に係止凹部を設け、本体枠側の係止片をそこに係合させる構造にすれば良い。
【００４１】
【発明の効果】
以上説明したように、本発明のゲーム機の施錠装置によれば、ゲーム機の前扉を本体枠に対し閉じ、鉤部材が受け金具の係止部に係止されて施錠が完了すると、ロック部材と本体枠側の係止片の作用によって連結杆がロックされるから、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止することができる。また、ロック解除部材を使用せずにロック部材だけで、連結杆のロックを行うことができるから、従来のものに比べ、構造が簡単で、組付工数や部品点数を削減することができる。
【図面の簡単な説明】
【図１】本発明の一実施形態を示す施錠装置の右側面図である。
【図２】その背面図である。
【図３】その左側面図である。
【図４】その分解側面図である。
【図５】受け金具の左側面図である。
【図６】同受け金具正面図である。
【図７】使用状態の施錠する際の左側面図である。
【図８】使用状態の施錠完了時の左側面図である。
【図９】施錠状態の要部拡大図である。
【図１０】解錠時の要部拡大図である。
【図１１】前扉を閉めて施錠する際の要部拡大図である。
【図１２】他の実施例の施錠装置の右側面図である。
【図１３】同施錠装置の背面図である。
【図１４】同施錠装置の平面図である。
【図１５】同施錠装置の右側面図である。
【図１６】同施錠装置の分解右側面図である。
【図１７】同施錠装置の使用状態における前扉を閉じる際の右側面図である。
【図１８】同施錠装置の施錠状態の右側面図である。
【図１９】同施錠装置の解錠操作時の右側面図である。
【符号の説明】
１−基枠体
２−取付板
３−支持板
４、５−鉤部材
６−連結杆
６ｂ−係止凹部
７−シリンダ錠
８−カム板
１０−ロック部材
１０ａ−係合凹部
１０ｂ−傾斜係合部
１１−枢軸
１２−コイルばね
２０−本体枠
２１−前扉
２３−受け金具
２４、２５−係止部
２６−係止片
【図１】
0003976553.tif 000002
【図２】
0003976553.tif 000003
【図３】
0003976553.tif 000004
【図４】
0003976553.tif 000005
【図５】
0003976553.tif 000006
【図６】
0003976553.tif 000007
【図７】
0003976553.tif 000008
【図８】
0003976553.tif 000009
【図９】
0003976553.tif 000010
【図１０】
0003976553.tif 000011
【図１１】
0003976553.tif 000012
【図１２】
0003976553.tif 000013
【図１３】
0003976553.tif 000014
【図１４】
0003976553.tif 000015
【図１５】
0003976553.tif 000016
【図１６】
0003976553.tif 000017
【図１７】
0003976553.tif 000018
【図１８】
0003976553.tif 000019
【図１９】
0003976553.tif 000020